(57)【要約】      （修正有）【課題】使用者が前傾姿勢になることを防止するために、使用者の上体を積極的に起立させるように支持することができる上体支持クッションを提供する。【解決手段】上体支持クッション１００は、第１の面１２２と、第１の面１２２に対向する第２の面１２４と、第１の面１２２と第２の面１２４の側部に、第１の面１２２と第２の面１２４とにわたって形成される曲面である第３の面１２６と、を備え、第１の面１２２と第３の面１２６との境界及び第２の面１２４と第３の面１２６との境界が、それぞれ第３の面１２６から見て窪んだ曲線であることを特徴とする。これにより、上体支持クッション１００は、使用者の上体を積極的に起立させるように支持することができるため、使用者が前傾姿勢になることを防止することができる。【選択図】図１
0003219048.tif 000002
【実用新案登録請求の範囲】
【請求項１】
第１の面と、
前記第１の面に対向する第２の面と、
前記第１の面及び前記第２の面の側部に、前記第１の面と前記第２の面とにわたって形成される曲面である第３の面と、
を備え、
前記第１の面と前記第３の面との境界及び前記第２の面と前記第３の面との境界は、それぞれ前記第３の面から見て窪んだ曲線であることを特徴とする、上体支持クッション。
【請求項２】
前記第１の面は、前記第２の面に向かって窪んだ面であり、前記第１の面と前記第３の面との境界は、前記第１の面の窪みに沿っていることを特徴とする、請求項１に記載の上体支持クッション。
【請求項３】
前記第１の面にすべり止めが設けられていることを特徴とする、請求項１又は２に記載の上体支持クッション。
【請求項４】
前記第２の面は、平面であることを特徴とする、請求項１〜３のいずれかに記載の上体支持クッション。
【請求項５】
空気の注排口を備えていることを特徴とする、請求項１〜４のいずれかに記載の上体支持クッション。
【請求項６】
前記第３の面とともに空間を画成するベルトが設けられていることを特徴とする、請求項１〜５のいずれかに記載の上体支持クッション。
【請求項７】
さらに、ポケットを備えていることを特徴とする、請求項１〜６のいずれかに記載の上体支持クッション。
【請求項８】
さらに、ひざ掛けを備えていることを特徴とする、請求項１〜７のいずれかに記載の上体支持クッション。
【考案の詳細な説明】
【技術分野】
【０００１】
本考案は、上体支持クッションに関する。
【背景技術】
【０００２】
長時間座ってゲームをしたり、本を読んだりするときに、使用者が楽な姿勢を保持することを助けるクッションとして、特許文献１に示されるものが知られている。特許文献１に示されるクッションは、馬蹄形をした２枚の部材を連結することにより構成されている。使用者は、馬蹄形のクッションを大腿部に載せるとともに、クッションの端部を腰部に巻き付けるようにしてクッションを装着する。
【０００３】
クッションを装着することにより、使用者は、クッションの上に腕を乗せることができるため、姿勢を楽に保つことができる。また、使用者は、テレビを見たり、ゲームをしたりする際に、画面に近づこうとして前のめりになるが、そのときに、大腿部上のクッションが邪魔になるため、前傾姿勢になって画面に近づきすぎたりすることがある程度防止される。
【先行技術文献】
【特許文献】
【０００４】
【特許文献１】実登３０５０１３６号公報
【考案の概要】
【考案が解決しようとする課題】
【０００５】
しかし、従来のクッションは、２枚の部材を連結して構成されているため、クッションの高さが最も高くなる位置は、クッションの前後方向における中央位置になる。したがって、従来のクッションは、使用者側の端部は高さがあまり高くなく、使用者から離れるにしたがって傾斜しながら徐々に高さが高くなっていく。
【０００６】
このため、使用者はクッションにもたれると、クッションの傾斜に沿って前傾姿勢になってしまう。このように、従来のクッションは、使用者が前傾姿勢になることをある程度防止することはできるが、使用者の上体を積極的に起立させるように支持することは困難であるという問題がある。
【０００７】
そこで、本考案は、このような問題に鑑みてなされたもので、その目的とするところは、使用者が前傾姿勢になることを防止するために、使用者の上体を積極的に起立させるように支持することができる上体支持クッションを提供することにある。
【課題を解決するための手段】
【０００８】
上記課題を解決するために、本考案によれば第１の面と、前記第１の面に対向する第２の面と、前記第１の面及び前記第２の面の側部に、前記第３の面と、を備え、前記第１の面と前記第３の面との境界及び前記第２の面と前記第３の面との境界は、それぞれ前記第３の面から見て窪んだ曲線であることを特徴とする、上体支持クッションが提供される。
【０００９】
かかる考案によれば、例えば、上体支持クッションを使用者の大腿部に載せ、第３の面を使用者の腹部に当接させると、第３の面の曲面が、使用者の腹部に沿って全面で接触し、前傾姿勢をとろうとする使用者の腹部を起立するように支持する。このため、使用者は前傾することがなく、第３の面によって上体が積極的に起立するように支持される。このように、上体支持クッションは、使用者の上体を積極的に起立させるように支持するため、使用者は、姿勢が悪くなることが防止される。よって、姿勢が悪くなることに起因する肩こりや腰痛、内臓の圧迫を軽減することができる。
【００１０】
本考案は、上記構成に加えて、様々な応用例が考えられる。
すなわち、前記第１の面は、前記第２の面に向かって窪んだ面であり、前記第１の面と前記第３の面との境界は、前記第１の面の窪みに沿っているようにしてもよい。このような構成にすることにより、例えば、第１の面を使用者の大腿部に載せた場合、大腿部が第１の面の窪みに収容される。このため、第１の面と大腿部がフィットして使用感が良く、また、上体支持クッションが大腿部からすべり落ちることが防止される。
【００１１】
また、前記第１の面にすべり止めが設けられているようにしてもよい。このような構成にすることにより、例えば、第１の面を大腿部に載せた場合、上体支持クッションが大腿部から不用意にすべり落ちることを防止することができる。
【００１２】
また、前記第２の面は、平面であるようにしてもよい。このような構成により、第１の面を大腿部に載せた場合、平面状の第２の面が上面になる。よって、使用者は、第２の面をテーブルの代わりとして使用することができる。このため、例えば、使用者は、第２の面の上で書き物をしたり、ノートパソコンやタブレット端末などを操作したりすることができる。また、読書やゲームをするときなどに、肘を第２の面の上に載せることができるので、使用者は、肩や腕の力を抜くことができて、リラックスできる。
【００１３】
空気の注排口を備えるようにしてもよい。このような構成にすることにより、使用者は、注排口を介して空気を排出した上体支持クッションを折り畳んで持ち運ぶことができる。このように持ち運ぶことができることによって、使用者は、カフェでくつろいだり、電車や飛行機に乗って旅行に行くときなどのような、外出先で座るときにも上体支持クッションを使用することができる。
【００１４】
前記第３の面とともに（柱状の）空間を画成するベルトが設けられているようにしてもよい。このような構成により、第３の面とベルトによって画成される空間に使用者が入り、第３の面を使用者の腹部に当接させ、ベルトを使用者の背中に当接させるように使用すると、上体支持クッションを使用者の大腿部上で固定することができる。よって、使用者がのけぞったり前傾姿勢をとろうとしたりしても、上体支持クッションは動かないため、使用者の上体をより確実に支持することができる。
【００１５】
上体支持クッションには、ポケットが設けられているようにしてもよい。ポケットを設けることにより、クッションの使用時に、携帯電話やお財布などをポケットに収納しておくことができる。また、ポケットにノートパソコンを収納すると、上体支持クッションが、移動時にはノートパソコンのケースになり、使用時にはノートパソコンを置く作業台にもなる。
【００１６】
上体支持クッションには、ひざ掛けが設けられているようにしてもよい。ひざ掛けを設けることにより、使用者は冬季にも暖かくクッションを使用することができる。
【考案の効果】
【００１７】
本考案によれば、使用者の上体を積極的に起立させるように支持することによって、使用者が前傾姿勢になることを防止し、姿勢が悪くなることに起因する肩こりや腰痛、内臓の圧迫を軽減することができる。
【図面の簡単な説明】
【００１８】
【図１】一実施形態に係る上体支持クッション１００の斜視図である。
【図２】上体支持クッション１００の使用例である。
【図３】上体支持クッション１００の第１の応用例の斜視図である。
【図４】上体支持クッション１００の第２の応用例の斜視図である。
【図５】上体支持クッション１００の第３の応用例の斜視図である。
【図６】上体支持クッション１００の第４の応用例の斜視図である。
【図７】上体支持クッション１００の第４の応用例の使用例である。
【図８】上体支持クッション１００の第５の応用例の使用例である。
【図９】上体支持クッション１００の第６の応用例の斜視図である。
【考案を実施するための形態】
【００１９】
以下に添付図面を参照しながら、本考案の好適な実施形態について詳細に説明する。なお、本明細書及び図面において、実質的に同一の機能構成を有する構成要素については、同一の符号を付することにより重複説明を省略する。
【００２０】
本実施形態に係る上体支持クッション１００について、図１及び図２を参照しながら説明する。図１は、第１の実施形態に係る上体支持クッション１００の斜視図であり、図２は、第１の実施形態に係る上体支持クッション１００の使用例である。
【００２１】
本実施形態の上体支持クッション１００は、図１に示したように、主に、第１の面１２２と、第１の面１２２に対向する第２の面１２４と、第１の面１２２と第２の面１２４の側部に、第１の面１２２と第２の面１２４とにわたって形成される曲面である第３の面１２６と、を備え、第１の面１２２と第３の面１２６との境界及び第２の面１２４と第３の面１２６との境界が、それぞれ第３の面１２６から見て窪んだ曲線であることを特徴とするものである。
【００２２】
また、本実施形態の上体支持クッション１００は、第３の面１２６を除いた第１の面１２２と第２の面１２４の側部に第４の面１２８が配置されており、第４の面１２８は第１の面１２２と第２の面１２４とにわたって形成される略コ字状の面である。
【００２３】
上体支持クッション１００は、布、ニット、樹脂など、様々な素材で構成される。例えば、素材が布やニットの場合、縫製により形成される。また、素材が樹脂の場合、熱溶着などにより形成される。上体支持クッション１００の内部には、ウレタン、綿、ビーズ、空気などが充填される。
【００２４】
以下、上体支持クッション１００の各部の構成について、図１及び図２を参照しながら詳細に説明する。
【００２５】
（第１の面１２２）
第１の面１２２は、図１に示したように、平面状の形状をしており、第３の面１２６との境界が第３の面１２６から見て窪んだ曲線である。この曲線は、第３の面１２６の曲面に沿った形状である。また、第１の面１２２は、図２に示したように、使用者Ｓの大腿部Ｄに載置される面であり、その大きさは、使用者Ｓの両大腿部Ｄよりも若干大きく構成されている。なお、本実施形態では、第１の面１２２の形状を平面状としたが、これは一例であり、例えば、後述のように、窪んだ面としたり、波形としたり、適宜設計することができる。
【００２６】
（第２の面１２４）
第２の面１２４は、図１に示したように、第１の面１２２に対向して配置されており、第３の面１２６との境界が第３の面１２６から見て窪んだ曲線である。この曲線は、第３の面１２６の曲面に沿った形状である。また、第２の面１２４は、平面状の形状をしている。このように、第２の面１２４の形状を平面状とすることにより、図２に示したように、第１の面１２２を大腿部Ｄに載せたときに、平面状の第２の面１２４が上面になり、使用者Ｓは、第２の面１２４をテーブルの代わりとして使用することができる。
【００２７】
よって、使用者Ｓが、読書やゲームをするときなどに、肘Ｈを第２の面１２４の上に載せることができるので、使用者Ｓは、肩や腕の力を抜くことができて、リラックスできる。また、使用者Ｓは、第２の面１２４の上で書き物をしたり、ノートパソコンやタブレット端末などを操作したりすることができる。
【００２８】
また、第２の面１２４の一部又は全部には、プラスチックや木材などの剛性が大きい素材で構成された板状の部材を設けてもよい。板状の部材は、例えば、第２の面１２４の表面又は裏面に貼付されたり、第２の面１２４を重なり合う２枚の部材で構成し、２枚の部材の間に挿入されたり、第２の面１２４自体を構成するものであったりしてもよい。第２の面１２４に板状の部材を設けることにより、テーブルとしての剛性を向上させることができる。
【００２９】
（第３の面１２６）
第３の面１２６は、図１に示したように、第１の面１２２と第２の面１２４とにわたって形成される曲面であり、この曲面は、使用者Ｓの腹部Ｆの形状に沿った円弧状とすることができる。使用者Ｓが、図２に示したように、第１の面１２２を大腿部Ｄ上に載置するように上体支持クッション１００を使用したときに、第３の面１２６は使用者Ｓの腹部Ｆに当接する。第３の面１２６は、腹部Ｆの形状に沿った円弧状の曲面に形成されているため、使用者Ｓの腹部Ｆを面で支持することになる。その結果、使用者Ｓの上体が第３の面１２６によって積極的に起立するように支持される。よって、使用者Ｓが前傾姿勢になることが防止される。
【００３０】
（第４の面１２８）
第４の面１２８は、図１に示したように、第３の面１２６を除いた第１の面１２２と第２の面１２４の側部に配置されており、第４の面１２８は第１の面１２２と第２の面とにわたって形成される略コ字状の面である。なお、本実施形態では、第４の面１２８を略コ字状の形状の１つの部材で構成したが、この例に限定されるものではない。例えば、第４の面１２８は複数の部材を連結することによって略コ字状を形成して構成してもよい。
【００３１】
（本実施形態の効果）
以上説明したように、本実施形態によれば、第１の面１２２を使用者Ｓの大腿部Ｄに載置し、第３の面１２６を使用者Ｓの腹部Ｆに当接させると、第３の面１２６の曲面が、使用者Ｓの腹部Ｆに沿って全面で接触し、前傾姿勢をとろうとする使用者Ｓの腹部Ｆを起立させるように支持する。このため、使用者Ｓは前傾することがなく、姿勢が悪くなることが防止される。よって、姿勢が悪くなることに起因する肩こりや腰痛、内臓の圧迫を軽減することができる。
【００３２】
以上、実施形態の構成及び効果を説明した。次に、本実施形態の第１〜第５の応用例について説明する。
【００３３】
（第１の応用例）
第１の応用例は、図３に示したように、第１の面１２２が、第２の面１２４に向かって窪んだ面であり、第１の面１２２と第３の面１２６との境界が、第１の面１２２の窪みに沿っているように構成したものであり、その他の構成は、実施形態と同様である。
【００３４】
本応用例においては、第１の面１２２の窪みは、円弧状に形成されている。このように構成されることにより、第１の面１２２を大腿部Ｄに載置したときに、大腿部Ｄが第１の面１２２の窪みに収容される。このため、第１の面１２２と大腿部Ｄがフィットして使用感が良く、また、上体支持クッション１００が大腿部Ｄからすべり落ちることが防止される。
【００３５】
なお、本応用例では、第１の面１２２の窪みの形状を円弧状としたが、この例に限定されるものではない。例えば、２つの円弧を並べた形状や、凹状、山形、波形など、上体支持クッション１００が大腿部Ｄからずり落ちることを防止できる形状であれば、適宜設計することができる。
【００３６】
（第２の応用例）
第２の応用例は、図４に示したように、第１の面１２２にすべり止め１６０が設けられているものであり、その他の構成は、実施形態と同様である。すべり止め１６０としては、第１の面１２２にウレタン樹脂加工を施したり、起毛した布で構成したりするなど、適宜設計することができる。このように、第１の面１２２にすべり止め１６０が設けられることにより、使用者Ｓが上体支持クッション１００を使用しているときに、不用意に上体支持クッション１００が大腿部Ｄからすべり落ちることを防止することができる。
【００３７】
（第３の応用例）
第３の応用例は、図５に示したように、第４の面１２８に空気の注排口１５０を設けたエアークッションである。本応用例の充填剤は空気である。注排口１５０を介して上体支持クッション１００の内部に空気が入ることにより上体支持クッション１００が膨らみ、注排口１５０を介して内部から空気が排出されることにより上体支持クッション１００が縮むようにしたものである。その他の構成は、実施形態と同様である。
【００３８】
なお、本応用例では、注排口１５０を第４の面１２８に設けたが、この例に限定されるものではなく、注排口１５０は、第１の面１２２〜第４の面１２８のうちのいずれかの面に設けてもよい。
【００３９】
本応用例では、使用者Ｓは、使用時には、注排口１５０を開いて上体支持クッション１００内に空気を充填して、袋体１２０を膨らませる。そして、使用者Ｓは、上体支持クッション１００を十分に膨らませた後、注排口１５０を閉じることによって上体支持クッション１００の内部に充填された空気を保持させて、エアークッションを構成する。
【００４０】
なお、注排口１５０を開いただけでは、上体支持クッション１００の内部に十分に空気が充填されない場合は、第１の面１２２、第２の面１２４、第３の面１２６及び第４の面１２８や、これらの連結された各辺を離隔する方向に引っ張って内部の空間を広げたり、注排口１５０から口やポンプで積極的に空気を吹き込んだりすることによって上体支持クッション１００の内部にさらに空気を充填することができる。
【００４１】
上体支持クッション１００を使用しないときには、使用者Ｓは、注排口１５０を開いて、上体支持クッション１００の内部から空気を排出して上体支持クッション１００を縮ませることができる。このように、使用しないときは上体支持クッション１００を縮ませることができるため、上体支持クッション１００を折り畳んで小さくし、持ち運ぶことができる。よって、使用者Ｓは、カフェでくつろいだり、電車や飛行機に乗って旅行に行くときなどのような、外出先で座るときにも上体支持クッション１００を使用することができる。
【００４２】
（第４の応用例）
第４の応用例は、図６に示したように、第３の面１２６の両側端部にベルト１７０が連結されており、第３の面１２６とベルト１７０により柱状の空間Ｋが画成されるようになっている。ベルト１７０の先端と第３の面１２６の端部に、ベルト１７０と第３の面１２６とを連結するバックル１７２が設けられている。バックル１７２は、ベルト１７０の先端に設けられる係合部１７２ａと第３の面１２６に設けられる被係合部１７２ｂとを係合することによって連結される。その他の構成は、実施形態と同様である。
【００４３】
本応用例では、使用者Ｓは、上体支持クッション１００を使用するときに、図７に示したように、第３の面１２６を使用者Ｓの腹部Ｆに当接させ、ベルト１７０を使用者Ｓの背中に当接させ、第３の面１２６とベルト１７０によって画成される空間Ｋに使用者Ｓが入るようにする。そして、ベルト１７０の係合部１７２ａと第３の面１２６の被係合部１７２ｂとを係合する。このように係合するだけで、上体支持クッション１００が使用者Ｓの大腿部Ｄ上に固定される。よって、使用者Ｓがのけぞったり前傾姿勢をとろうとしたりしても、上体支持クッション１００が移動しないため、上体支持クッション１００は、使用者Ｓの上体の姿勢を積極的に起立するように支持することができる。
【００４４】
なお、本応用例では、ベルト１７０と第３の面１２６をバックル１７０によって連結したが、この例に限定されない。例えば、面ファスナや、鍵ホックなどを用いて、ベルト１７０と第３の面１２６とを連結してもよい。
【００４５】
（第５の応用例）
第５の応用例は、図８に示したように、上体支持クッション１００がポケット１８０を備えているものであり、その他の構成は、実施形態と同様である。このように、ポケット１８０を備えた構成とすることにより、使用者Ｓは携帯電話やお財布、ノートパソコンなどをポケット１８０に収納しておくことができる。
【００４６】
なお、本応用例と応用例３を組み合わせて、本応用例の上体支持クッション１００をエアークッションにすると、ポケット１８０にノートパソコンを収納したまま上体支持クッション１００を縮ませると、上体支持クッション１００がノートパソコンのカバーになる。また、ノートパソコンの使用時に、上体支持クッション１００を膨らませると、上体支持クッション１００がノートパソコンを置くテーブルの代わりになる。
【００４７】
（第６の応用例）
第６の応用例は、図９に示したように、上体支持クッション１００の第４の面１２８の縁部にひざ掛け１９０が縫製などにより取り付けられているものであり、その他の構成は、上記実施形態と同様である。このように、上体支持クッション１００にひざ掛け１９０が設けられている構成とすることにより、使用者Ｓは冬季にも暖かく上体支持クッション１００を使用することができる。
【００４８】
なお、上体支持クッション１００へのひざ掛け１９０の連結方法は、この例に限定されるものではなく、例えば、面ファスナを用いて着脱自在とすることもできる。面ファスナを用いて着脱自在とすると、冬季などの寒い季節には上体支持クッション１００にひざ掛け１９０を取り付けて使用し、夏季などの暑い季節には、上体支持クッション１００からひざ掛け１９０を取り外して使用することができる。
【００４９】
以上、添付図を参照しながら本考案の好適な実施形態について説明したが、本考案はかかる例に限定されないことは言うまでもない。当業者であれば、実用新案登録請求の範囲に記載された範疇内において、各種の変更例または修正例に想到し得ることは明らかであり、それらについても当然に本考案の技術的範囲に属するものである。
【００５０】
例えば、上記実施形態では、第１の面１２２と第２の面１２４を平面状に構成し、第４の面１２８を略コ字状に構成したが、この例に限定されるものではない。例えば、第１の面１２２と第２の面１２４の第３の面１２６との境界を除いた部分の構成は適宜設計することができるため、第１の面１２２、第２の面１２４及び第４の面１２８の形状を、曲面、波形、動物やキャラクターの形状などの形状にすることもできる。
【００５１】
また、上記実施形態では、第１の面１２２、第２の面１２４及び第４の面１２８をそれぞれ別部材で構成したが、この例に限定されるものではない。例えば、第１の面１２２、第２の面１２４及び第４の面１２８を１つの部材で構成してもよい。また、第１の面１２２と第４の面１２８とを、又は第２の面１２４と第４の面１２８とを１つの部材で構成してもよい。
【００５２】
なお、本考案は、以下の観点から考えることもできる。すなわち、仮想第１の面の一部である第１の面と、前記仮想第１の面に対向する仮想第２の面の一部である第２の面と、前記仮想第１の面及び前記仮想第２の面の側部に形成される平面である仮想第３の面を窪ませた曲面である第３の面と、を備え、前記第１の面と前記第３の面との境界及び前記第２の面と前記第３の面との境界は、それぞれ前記第３の面から見て窪んだ曲線であることを特徴とする、上体支持クッション。
【００５３】
この場合、例えば、仮想第１の面、仮想第２の面及び仮想第３の面は、方形状の６つの面によって構成される六面体の３つの面であり、第１の面、第２の面及び第３の面は六面体の１つの面を窪ませたことによって構成された面と考えられる。
【符号の説明】
【００５４】
１００  上体支持クッション
１２２  第１の面
１２４  第２の面
１２６  第３の面
１２８  第４の面
１５０  注排口
１６０  すべり止め
１７０  ベルト
１７２  バックル
１７２ａ  係合部
１７２ｂ  被係合部
１８０  ポケット
１９０  ひざ掛け
Ｄ  大腿部
Ｆ  腹部
Ｈ  肘
Ｋ  空間
Ｓ  使用者
【図１】
0003219048.tif 000003
【図２】
0003219048.tif 000004
【図３】
0003219048.tif 000005
【図４】
0003219048.tif 000006
【図５】
0003219048.tif 000007
【図６】
0003219048.tif 000008
【図７】
0003219048.tif 000009
【図８】
0003219048.tif 000010
【図９】
0003219048.tif 000011